(57)【要約】【課題】外殻の破損を抑制することができる照明装置を提供する。【解決手段】照明装置１は、光源１１を有する装置本体１０と、透光性及び気密性を有し、光源１１を覆うように装置本体１０に設けられている外殻２０とを備え、装置本体１０、及び、外殻２０の少なくとも一方は、外殻２０の内側及び外側に存在するそれぞれの流体Ａ、Ｂ同士に圧力差がある場合に、圧力差により生じる外殻２０の変形を緩和する変形緩和手段Ｍを有している。【選択図】図１
2017091976.tif 000002
【特許請求の範囲】
【請求項１】
光源を有する装置本体と、
透光性及び気密性を有し、前記光源を覆うように前記装置本体に設けられている外殻とを備え、
前記装置本体、及び、前記外殻の少なくとも一方は、前記外殻の内側及び外側に存在するそれぞれの流体同士に圧力差がある場合に、前記圧力差により生じる前記外殻の変形を緩和する変形緩和手段を有している
照明装置。
【請求項２】
前記外殻は、前記変形緩和手段として、第１の外殻と、前記第１の外殻の外側に前記第１の外殻に対して隙間をあけて設けられている第２の外殻と、前記隙間に充填されている流体とを有している
請求項１に記載の照明装置。
【請求項３】
前記隙間に充填されている流体は、加圧されたガスである
請求項２に記載の照明装置。
【請求項４】
前記隙間に充填されている流体は、不活性ガスである
請求項２又は３に記載の照明装置。
【請求項５】
前記隙間に充填されている流体は、液体である
請求項２に記載の照明装置。
【請求項６】
前記照明装置を吊り下げた場合、前記隙間は、前記外殻の上端側よりも下端側のほうが大きい
請求項２乃至５のいずれか一項に記載の照明装置。
【請求項７】
前記第２の外殻は、伸縮性を有し、前記第２の外殻の外側に存在する流体から圧力を受けた場合に内側に収縮する
請求項２乃至４のいずれか一項に記載の照明装置。
【請求項８】
前記装置本体は、前記変形緩和手段として、前記装置本体の外から前記外殻の内側にガスを出し入れするための通気孔を有している
請求項１乃至６のいずれか一項に記載の照明装置。
【請求項９】
さらに、前記装置本体の外に、前記外殻の内側のガスの圧力を調整するためのガス圧調整装置を備え、
前記ガス圧調整装置は、前記通気孔に接続されている
請求項８に記載の照明装置。
【請求項１０】
さらに、前記装置本体の外に、前記外殻よりも柔軟性を有する袋体を備え、
前記袋体は、前記袋体の内部と前記外殻の内側の空間とが連通するように、前記通気孔に接続されている
請求項８に記載の照明装置。
【発明の詳細な説明】
【技術分野】
【０００１】
本発明は、外殻を備えた照明装置に関する。
【背景技術】
【０００２】
水中の魚を集めるための集魚灯として、発光素子を含む光源と、密閉容器（外殻）とを備えた照明装置が知られている。照明装置を水中で用いる場合は、発光素子に接続される電気回路などが水に触れないようにする必要がある。
【０００３】
この種の照明装置の一例として、特許文献１には、発光ダイオードから引き出されたリードフレームや発光ダイオードに電力を供給する電源部が、密閉容器に収納された照明装置が開示されている。発光ダイオードそのものは、全体が透明樹脂で覆われ、防水された状態で密閉容器の外面に取付けられている。
【先行技術文献】
【特許文献】
【０００４】
【特許文献１】特開２００２−１００２０３号公報
【発明の概要】
【発明が解決しようとする課題】
【０００５】
しかしながら、特許文献１に開示されている照明装置では、照明装置を水中深く沈めた場合に、水圧により密閉容器（外殻）が破損することがある。これにより、前述したリードフレームや電源部が水に触れ、発光ダイオードが発光しなくなるという問題がある。
【０００６】
そこで、本発明は、外殻の破損を抑制することができる照明装置を提供する。
【課題を解決するための手段】
【０００７】
上記の課題を解決するために本発明に係る照明装置の一態様は、光源を有する装置本体と、透光性及び気密性を有し、光源を覆うように装置本体に設けられている外殻とを備え、装置本体、及び、外殻の少なくとも一方は、外殻の内側及び外側に存在するそれぞれの流体同士に圧力差がある場合に、圧力差により生じる外殻の変形を緩和する変形緩和手段を有している。
【発明の効果】
【０００８】
照明装置の外殻の破損を抑制することができる。
【図面の簡単な説明】
【０００９】
【図１】図１は、実施の形態１に係る照明装置の斜視図である。
【図２】図２は、実施の形態１に係る照明装置の断面図である。
【図３】図３は、実施の形態２に係る照明装置の断面図である。
【図４】図４は、実施の形態３に係る照明装置の断面図である。
【図５】図５は、実施の形態４に係る照明装置の断面図である。
【図６】図６は、実施の形態５に係る照明装置の断面図である。
【発明を実施するための形態】
【００１０】
以下、実施の形態に係る照明装置について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略または簡略化する。
【００１２】
また、以下の実施の形態において、「接続される」とは、直接的に接続される場合だけでなく、他の部材を介して間接的に接続される場合も含まれる。
【００１３】
（実施の形態１）
本実施の形態に係る照明装置１は、例えば、集魚灯、水中観察照明又は山岳用照明などのように、大気圧と異なる環境下において用いられる。以下、照明装置１を水中で用いる場合を例に挙げて説明する。
【００１４】
照明装置１は、図１及び図２に示されるように、複数の光源１１を有する装置本体１０と、光源１１を覆うように装置本体１０に設けられている透光性を有する外殻２０とを備える。光源１１には、水上から引き出された配線１３を介して電力が供給される。装置本体１０は、照明装置１を水中に沈める際に、配線１３により吊り下げられた状態で支持される。
【００１５】
光源１１としては、例えば、発光素子（ＬＥＤ）を含む発光装置が用いられる。光源１１は、光の出射面が露出するように装置本体１０に設けられている。光源１１として、レーザ素子（ＬＤ）を含むレーザ装置又は白熱ランプを用いることも可能である。なお、図１及び図２において、光源１１を駆動する電気回路等の記載は省略している。
【００１６】
装置本体１０の形状は、略直方体である。ただし、装置本体１０の形状は、直方体に限られず、光を出射する方向や光源１１の数に応じて適宜決定される。装置本体１０は、剛性を有する材質からなり、例えば、ステンレス、アルミニウム又は樹脂などの材料により形成されている。装置本体１０は、照明装置１を水中に沈めるための重りの役割も果たしている。
【００１７】
装置本体１０は、装置本体１０の一端側から突出した、円柱状の突出部１２を有している。突出部１２の上部は、外殻２０に覆われず露出している。突出部１２には、露出面から装置本体１０の内部に向けて貫通孔が形成されている（図示省略）。この貫通孔に配線１３が挿通されている。貫通孔と配線１３との間は、水が侵入しないようにシールされている。
【００１８】
外殻２０は、側面、底及び開口を有する円筒状（ボトル状）の形状をしており、外殻２０のコーナ部分は丸みを帯びている。外殻２０は、複層構造をしており、光源１１を覆う第１の外殻２１と、第１の外殻２１の外側に、第１の外殻２１に対して隙間Ｃをあけて設けられている第２の外殻２２と、隙間Ｃに充填された流体２３とにより構成されている。なお、図２では、外殻２０の底面が平坦状となっているが、例えば、水中において底面にかかる水圧を軽減させるために、底面を球状に形成してもよい。
【００１９】
この構造を有することで、外殻２０の外側から押圧力Ｐ１が加えられた場合に、外殻２０の変形が緩和される。本実施の形態では、外殻２０そのものが、外殻２０の変形を緩和する変形緩和手段Ｍとして、第１の外殻２１、第２の外殻２２及び流体２３を有している。
【００２０】
外殻２０は、透光性、気密性及び耐腐食性を有する材質からなり、例えば、ガラス材料により形成される。その他、ポリカーボネート樹脂材料により形成することもできる。第１の外殻２１と第２の外殻２２は、同じ材料で形成することが好ましい。なお、第１の外殻２１と第２の外殻２２の厚みは、同じであっても異なっていてもよい。また、第１の外殻２１の強度が、第２の外殻２２の強度よりも高くなるように材料や厚みを決定してもよい。
【００２１】
隙間Ｃに充填されている流体２３は、加圧されたガス（圧縮ガス）２３ａである。このガス２３ａは、例えば、アルゴン、窒素又はヘリウムなどの不活性ガスである。隙間Ｃは、照明装置１を吊り下げた場合、外殻２０の上端側（開口側）よりも下端側（底側）のほうが大きくなるように形成されている。
【００２２】
第１の外殻２１の開口側の端部２１ａ、及び、第２の外殻２２の開口側の端部２２ａは、装置本体１０の突出部１２の側面にそれぞれ固定されている。端部２１ａと突出部１２との間、及び、端部２２ａと突出部１２との間には円環状のシール部材が設けられている（図示省略）。これにより、外殻２０（第１の外殻２１）の内側の空間Ｓ１及び隙間Ｃの空間Ｓ２は、それぞれ気密状態となっている。
【００２３】
なお、この複層構造の外殻２０は、例えば、大きな開口を有する第２の外殻２２の中に第１の外殻２１を入れた後、第２の外殻２２の開口付近に熱を加えながら絞り加工することで形成される。第１の外殻２１の端部２１ａと第２の外殻２２の端部２２ａとを溶着してもよい。
【００２４】
上記構造により、照明装置１は、外殻２０（第１の外殻２１）の内側に存在する流体Ａと、外殻２０（第２の外殻２２）の外側に存在する流体Ｂとが混じり合わないようになっている。本実施の形態では、流体Ａは大気圧の空気であり、流体Ｂは水である。
【００２５】
照明装置１の、第１の外殻２１の厚み、第２の外殻２２の厚み、隙間Ｃの寸法、及び、隙間Ｃに充填する流体２３の圧力は、照明装置１を水中に沈める際の深さによって適宜決定される。例えば、照明装置１を水深２００ｍに沈めるとすると、照明装置１の外殻２０（第１の外殻２１）には、約２×１０６Ｐａの押圧力Ｐ１が加えられる。
【００２６】
照明装置１を水中に沈めると、照明装置１に水圧がかかり、外殻２０の内側及び外側に存在するそれぞれの流体Ａ、Ｂ同士に圧力差が生じる。この圧力差により、外殻２０は押圧力Ｐ１を受け、内側に変形させられようとする。しかし、本実施の形態に係る照明装置１では、外殻２０が複層構造となっており、また、隙間Ｃにガス２３ａが充填されているので、外殻２０の変形が緩和される。その結果、外殻２０の破損を抑制することができる。
【００２７】
また、本実施の形態に係る照明装置１では、外殻２０の内側を大気と同じ圧力状態としているので、外殻２０の内側に設けられた光源１１に与える環境負荷を低減することができる。
【００２８】
（実施の形態２）
図３は、実施の形態２に係る照明装置１Ａの断面図である。この照明装置１Ａでは、隙間Ｃに充填されている流体２３が、液体２３ｂである。
【００２９】
照明装置１Ａでは、外殻２０が、第１の外殻２１と、第１の外殻２１の外側に、第１の外殻２１に対して隙間Ｃをあけて設けられている第２の外殻２２と、隙間Ｃに充填された液体２３ｂとにより構成されている。本実施の形態では、外殻２０が変形緩和手段Ｍとして、第１の外殻２１、第２の外殻２２及び流体２３（液体２３ｂ）を有している。
【００３０】
隙間Ｃの空間Ｓ２は、気体を含まず全て液体２３ｂで充填されている。液体２３ｂは、例えば、水である（ただし、０℃以上常温以下のとき）。
【００３１】
本実施の形態に係る照明装置１Ａは、隙間Ｃに充填されている流体２３が液体２３ｂなので、実施の形態１に示す照明装置１に比べて、空間Ｓ２の容積変化（縮小又は拡大）が起きにくい。その結果、第２の外殻２２の変形が緩和され、外殻２０の破損を抑制することができる。
【００３２】
また、本実施の形態に係る照明装置１Ａでは、隙間Ｃの全てが液体２３ｂで満たされているので、外殻２０の局所的な変形が生じにくい。これにより、外殻２０の耐久性が向上し、外殻２０の破損を抑制することができる。
【００３３】
（実施の形態３）
図４は、実施の形態３に係る照明装置１Ｂの断面図である。この照明装置１Ｂでは、外殻２０のうちの第２の外殻２２が、第２の外殻２２の外側の圧力に応じて収縮又は膨張するように構成されている。
【００３４】
第２の外殻２２は、大気中において球状に膨らんでおり、水中深く沈められるにしたがい水圧を受け、内側に収縮する。すなわち、第２の外殻２２の外側から押圧力Ｐ１を受けると、第１の外殻２１と第２の外殻２２との隙間Ｃは小さくなる。
【００３５】
第２の外殻２２は、厚みの薄い材料からなり、透光性、気密性、耐腐食性及び伸縮性を有している。また、第２の外殻２２は、第１の外殻２１よりも柔軟性を有しており、第２の外殻２２の弾性係数は、第１の外殻２１の弾性係数よりも小さい。第２の外殻２２の材質としては、例えば、エポキシ、ウレタン又はシリコンなどが用いられる。
【００３６】
第１の外殻２１と第２の外殻２２との隙間Ｃ（空間Ｓ２）には、不活性ガスなどのガス２３ａが充填されている。なお、第２の外殻２２の耐圧力性能を向上させるために、隙間Ｃに加圧された状態のガス２３ａを充填してもよい。
【００３７】
本実施の形態に係る照明装置１Ｂでは、外側から押圧力Ｐ１を受けた場合、第２の外殻２２が内側に収縮するとともに、空間Ｓ２のガス２３ａが圧縮される。この収縮及び圧縮により、第１の外殻２１に伝わる押圧力が弱まり、第１の外殻２１の変形が緩和される。その結果、外殻２０の破損を抑制することができる。
【００３８】
（実施の形態４）
図５は、実施の形態４に係る照明装置１Ｃの断面図である。この照明装置１Ｃでは、装置本体１０そのものが、外殻２０の変形を緩和する変形緩和手段Ｍを有している。変形緩和手段Ｍは、具体的には、装置本体１０の外から外殻２０の内側にガス（流体Ａ）を出し入れするための通気孔３１である。
【００３９】
照明装置１Ｃは、図５に示されるように、複数の光源１１を有する装置本体１０と、光源１１を覆うように装置本体１０に設けられている透光性を有する外殻２０とを備える。光源１１には、水上から引き出された配線１３を介して電力が供給される。外殻２０の内側には、通気孔３１及び水上から引き出された配管３２を介して、ガス圧調整装置３３からガスが供給される。装置本体１０及び外殻２０は、配線１３及び配管３２により吊り下げられた状態で支持される。
【００４０】
光源１１としては、例えば、発光素子（ＬＥＤ）を含む発光装置が用いられる。光源１１は、光の出射面が露出するように装置本体１０に設けられている。
【００４１】
装置本体１０は、略直方体状である。装置本体１０は、剛性を有する材質からなり、例えば、ステンレス、アルミニウム又は樹脂などの材料により形成されている。装置本体１０は、照明装置１Ｃを水中に沈めるための重りの役割も果たしている。
【００４２】
装置本体１０は、装置本体１０の一端側から突出した、円柱状の突出部１２を有している。突出部１２の上部は、外殻２０に覆われず露出している。突出部１２には、露出面から装置本体１０の内部に向けて貫通孔が形成されている。この貫通孔に、配線１３が挿通されている。貫通孔と配線１３との間は、水が侵入しないようにシールされている。
【００４３】
また、装置本体１０には、前述した通気孔３１が設けられている。通気孔３１は、ガス圧調整装置３３と外殻２０の内側の空間Ｓ１とを繋ぐための経路の一部であり、突出部１２の露出面から装置本体１０の内部を経由して、外殻２０の内側の空間Ｓ１に至るように形成されている。
【００４４】
外殻２０は、側面、底及び開口を有する円筒状（ボトル状）の形状をしており、外殻２０のコーナ部分は丸みを帯びている。本実施の形態の外殻２０は、一層構造である。外殻２０は、透光性、気密性及び耐腐食性を有する材質からなり、例えば、ガラス材料により形成される。その他、ポリカーボネート樹脂材料により形成することもできる。
【００４５】
外殻２０の開口側の端部２０ａは、装置本体１０の突出部１２の側面に固定されている。端部２０ａと突出部１２との間には円環状のシール部材が設けられている（図示省略）。この構造により、外殻２０の内側に存在するガス（流体Ａ）と、外殻２０の外側に存在する水（流体Ｂ）とが混じり合わないようになっている。
【００４６】
ガス圧調整装置３３は、外殻２０の内側にガスを供給する装置である。ガス圧調整装置３３は、装置本体１０の外に設けられ、例えば、水上の船舶などに設置される。ガス圧調整装置３３は、例えば、圧縮ガスを生成する圧縮ポンプ及び圧力調整弁などにより構成され、供給するガスの圧力を変えることができる。照明装置１Ｃにガス圧調整装置３３を接続することで、照明装置１Ｃの水中の深度に応じて、外殻２０の内側の圧力を変えることが可能となる。
【００４７】
本実施の形態に係る照明装置１Ｃは、装置本体１０が変形緩和手段Ｍである通気孔３１を有している。そして、この通気孔３１を介して外殻２０の内側にガスを供給することで、外殻２０の内側の圧力を高め、外殻２０の外側と内側との圧力差を減らしている。その結果、外殻２０の変形が緩和され、外殻２０の破損を抑制することができる。
【００４８】
なお、ガス圧調整装置３３の圧縮ポンプの代わりに吸引ポンプを用い、外殻２０の内側のガス（流体Ａ）を吸引するようにしてもよい。照明装置１Ｃに、吸引ポンプを備えたガス圧調整装置３３を接続することで、山頂などの大気圧が低い場所にて照明装置１Ｃを用いることができる。すなわち、本実施の形態に係る照明装置１Ｃは、圧力が高い環境に限らず、圧力が低い環境においても使用することができる。
【００４９】
また、本実施の形態に係る照明装置１Ｃにおいて、実施の形態１及び２に示すように、外殻２０を複層構造としてもよい。外殻２０を複層構造とすることで、外殻２０の変形をより緩和し、外殻２０の破損を抑制することができる。
【００５０】
（実施の形態５）
図６は、実施の形態５に係る照明装置１Ｄの断面図である。この照明装置１Ｄは、装置本体１０の外に袋体３５が設けられている。なお、光源１１を含む装置本体１０、及び、外殻２０の構成は、実施の形態４と同様である。
【００５１】
袋体３５は、袋体３５の内部と外殻２０の内側の空間Ｓ１とが連通するように、通気孔３１に接続されている。袋体３５は、大気中において球状に膨らんでおり、水中深く沈められるにしたがい水圧を受け、内側に収縮する。
【００５２】
袋体３５は、厚みの薄い材料からなり、透光性、気密性、耐腐食性及び伸縮性を有している。また、袋体３５は、外殻２０よりも柔軟性を有しており、袋体３５の弾性係数は、外殻２０の弾性係数よりも小さい。袋体３５の材質としては、例えば、エポキシ、ウレタン又はシリコンなどが用いられる。
【００５３】
袋体３５の中には、外殻２０の内側の空間Ｓ１と同じ種類、同じ圧力のガスが充填されている。袋体３５及び空間Ｓ１に充填されるガス（流体Ａ）は、例えば、不活性ガスである。なお、袋体３５の耐圧力性能を向上させるために、袋体３５の内部及び空間Ｓ１に加圧されたガスを充填してもよい。
【００５４】
本実施の形態に係る照明装置１Ｄでは、袋体３５が、袋体３５の外側に存在する流体Ｂから押圧力Ｐ１を受けた場合に、内側に収縮するように構成されている。この収縮により、袋体３５の内部のガス（流体Ａ）が、通気孔３１を介して外殻２０の内側に供給される。これにより、外殻２０の内側の圧力を高め、外殻２０の外側と内側との圧力差を減らしている。その結果、外殻２０の変形が緩和され、外殻２０の破損を抑制することができる。
【００５５】
なお、本実施の形態では、球体状の袋体３５を例に挙げて説明したが、袋体３５の構造はこれに限られない。例えば、内部容積を変えることができ、空間Ｓ１と閉じた系を構成する構造体であれば、この構造体を袋体３５として用いることもできる。
【００５６】
また、本実施の形態に係る照明装置１Ｄにおいて、実施の形態１及び２に示すように、外殻２０を複層構造としてもい。外殻２０を複層構造とすることで、外殻２０の変形をより緩和し、外殻２０の破損を抑制することができる。
【００５７】
（まとめ）
本実施の形態に係る照明装置１〜１Ｄは、光源１１を有する装置本体１０と、透光性及び気密性を有し、光源１１を覆うように装置本体１０に設けられている外殻２０とを備え、装置本体１０、及び、外殻２０の少なくとも一方は、外殻２０の内側及び外側に存在するそれぞれの流体Ａ、Ｂ同士に圧力差がある場合に、圧力差により生じる外殻２０の変形を緩和する変形緩和手段Ｍを有している。
【００５８】
照明装置１の装置本体１０、及び、外殻２０の少なくとも一方が、変形緩和手段Ｍを有しているので、外殻２０の内側と外側との圧力差により生じる外殻２０の変形を緩和することができる。その結果、外殻２０の破損を抑制することができる。
【００５９】
また、外殻２０は、変形緩和手段Ｍとして、第１の外殻２１と、第１の外殻２１の外側に第１の外殻２１に対して隙間Ｃをあけて設けられている第２の外殻２２と、隙間Ｃに充填されている流体２３とを有している。
【００６０】
この構成によれば、隙間Ｃに充填された流体２３により、外殻２０の変形を緩和することができる。その結果、外殻２０の破損を抑制することができる。
【００６１】
また、隙間Ｃに充填されている流体２３は、加圧されたガス２３ａであってもよい。
【００６２】
この構成によれば、加圧されたガス２３ａにより、外殻２０の変形を緩和することができる。その結果、外殻２０の破損を抑制することができる。
【００６３】
また、隙間Ｃに充填されている流体２３は、不活性ガスであってもよい。
【００６４】
不活性ガスは化学的に安定しているので、上記構成とすることで、照明装置１の寿命を長くすることができる。
【００６５】
また、隙間Ｃに充填されている流体２３は、液体２３ｂであってもよい。
【００６６】
液体２３ｂは気体に比べて膨張又は収縮しにくいので、上記構成とすることで、外殻２０の変形を抑制することができる。その結果、外殻２０の破損を抑制することができる。
【００６７】
また、照明装置１を吊り下げた場合、隙間Ｃは、外殻２０の上端側よりも下端側のほうが大きくなっていてもよい。
【００６８】
照明装置１を水中で用いる場合、水深が深くなるほど水圧が高くなるが、上記構成とすることで、外殻２０の下端側における変形を緩和することができる。その結果、外殻２０の破損を抑制することができる。
【００６９】
また、第２の外殻２２は、伸縮性を有し、第２の外殻２２の外側に存在する流体Ｂから圧力を受けた場合に内側に収縮するようになっていてもよい。
【００７０】
この構成によれば、第２の外殻２２の外側から押圧力Ｐ１を受けた場合に、第２の外殻２２が内側に収縮するとともに、ガス２３ａが圧縮される。この収縮及び圧縮により、第１の外殻２１に伝わる押圧力が弱まり、第１の外殻２１の変形が緩和される。その結果、外殻２０の破損を抑制することができる。
【００７１】
また、装置本体１０は、変形緩和手段Ｍとして、装置本体１０の外から外殻２０の内側にガス（流体Ａ）を出し入れするための通気孔３１を有している。
【００７２】
この構成によれば、通気孔３１を介して、外殻２０の内側の圧力を外殻２０の外側の圧力に近づけることができる。その結果、外殻２０の変形が緩和され、外殻２０の破損を抑制することができる。
【００７３】
また、さらに、装置本体１０の外に、外殻２０の内側のガス（流体Ａ）の圧力を調整するためのガス圧調整装置３３を備え、ガス圧調整装置３３は、通気孔３１に接続されていてもよい。
【００７４】
この構成によれば、ガス圧調整装置３３により、外殻２０の内側の圧力を外殻２０の外側の圧力に近づけることができる。その結果、外殻２０の変形が緩和され、外殻２０の破損を抑制することができる。
【００７５】
また、さらに、装置本体１０の外に、外殻２０よりも柔軟性を有する袋体３５を備え、袋体３５は、袋体３５の内部と外殻２０の内側の空間Ｓ１とが連通するように、通気孔３１に接続されていてもよい。
【００７６】
この構成によれば、外殻２０の外側の圧力に応じて袋体３５が変形し、外殻２０の内側の圧力を外殻２０の外側の圧力に近づけることができる。その結果、外殻２０の変形が緩和され、外殻２０の破損を抑制することができる。
【００７７】
以上、照明装置について、実施の形態に基づいて説明したが、本発明は、上記の実施の形態に限定されるものではない。例えば、上記の実施の形態に対して当業者が思いつく各種変形を施して得られる形態や、本発明の趣旨を逸脱しない範囲で実施の形態における構成要素および機能を任意に組み合わせることで実現される形態も本発明に含まれる。
【００７８】
例えば、実施の形態１又は２に示す照明装置において、外殻の外にさらに隙間をあけて他の外殻を設けてもよい。また、装置本体の直方体状の部分を金属材料で形成し、突出部を樹脂材料で形成してもよい。
【符号の説明】
【００７９】
１、１Ａ、１Ｂ、１Ｃ、１Ｄ  照明装置
１０    装置本体
１１    光源
１２    突出部
１３    配線
２０    外殻
２０ａ  外殻の開口側の端部
２１    第１の外殻
２１ａ  第１の外殻の開口側の端部
２２    第２の外殻
２２ａ  第２の外殻の開口側の端部
２３    隙間に充填されている流体
２３ａ  ガス
２３ｂ  液体
３１    通気孔
３２    配管
３３    ガス圧調整装置
３５    袋体
Ａ      外殻の内側の流体
Ｂ      外殻の外側の流体
Ｃ      隙間
Ｍ      変形緩和手段
Ｐ１    押圧力
Ｓ１、Ｓ２  空間
【図１】
2017091976.tif 000003
【図２】
2017091976.tif 000004
【図３】
2017091976.tif 000005
【図４】
2017091976.tif 000006
【図５】
2017091976.tif 000007
【図６】
2017091976.tif 000008